(57)【特許請求の範囲】
【請求項１】
施錠位置検出用スイッチ、解錠位置検出用スイッチおよび中点位置検出用スイッチを用いて、施錠作動・解錠作動を制御する錠装置であって、  錠前の施錠状態およびその解錠状態を確保する主軸と、  上記主軸に駆動力を供給するモータと、  上記主軸に主軸と一体に回転動する状態で設けられ、施解錠位置検出板を兼ねる駆動主板と、  上記施解錠位置検出板兼駆動主板を施錠方向・解錠方向に回転動させ、中点位置検出板を兼ねる第１駆動補助板と、  上記第１駆動補助板を回転動させる第２駆動補助板と、を備え、  自動による解錠指示により、前記モータが作動し、前記第１駆動補助板及び前記第２駆動補助板が解錠方向に回転し、前記解錠位置検出用スイッチがオン動作すると前記第１駆動補助板及び前記第２駆動補助板が解錠方向の回転とは逆に回転し、前記中点位置検出スイッチがオン動作するまで回転し、前記中点位置検出スイッチがオン動作すると、手動操作が可能となり、前記主軸及び前記駆動主板側に当該回転の伝達力が伝わり、前記第１駆動補助板及び前記第２駆動補助板には当該回転の伝達力が伝わらず、  自動による施錠指示により、前記モータが作動し、前記第１駆動補助板及び前記第２駆動補助板が施錠方向に回転し、前記施錠位置検出用スイッチがオン動作すると前記第１駆動補助板及び前記第２駆動補助板が施錠方向の回転とは逆に回転し、前記中点位置検出スイッチがオン動作するまで回転し、前記中点位置検出スイッチがオン動作すると、手動操作が可能となり、前記主軸及び前記駆動主板側に当該回転の伝達力が伝わり、前記第１駆動補助板及び前記第２駆動補助板には当該回転の伝達力が伝わらないことを特徴とする自動・手動両用型の錠装置。
【請求項２】
請求項１において、  前記主軸と係合する手動捻りツマミを含み、  前記主軸は、前記駆動主板と係合していることを特徴とする自動・手動両用型の錠装置。
【発明の詳細な説明】
【技術分野】
【０００１】
本発明は、手動捻りツマミによる施錠・解錠操作と無線または有線のリモコンスイッチによる施錠・解錠操作で使うことができるドア等用の錠装置に関するものである。
【背景技術】
【０００２】
従来、内蔵の位置（もしくは回転角）検出スイッチによりコントロールされるモータの動作で施錠・解錠のできる電動形式のものは既に知られているが、この種形式のものは、内蔵の位置検出スイッチが無電力状態ではないのでＤＣ時の電池寿命に悪い影響があり、且つ無接触状態ではないので耐久性に劣るというような問題点があった。
【発明の概要】
【発明が解決しようとする課題】
【０００３】
本発明は、上記問題点を解決するための工夫を施した新規の錠装置を提供することを目的とするものである。
【課題を解決するための手段】
【０００４】
上記目的を達成するために本発明に係る錠装置は、施錠位置検出用スイッチ、解錠位置検出用スイッチおよび中点位置検出用スイッチを用いて作動位置を特定して施錠作動・解錠作動を制御する形式の自動・手動両用型の錠装置に関し、施錠位置検出用スイッチ、解錠位置検出用スイッチおよび中点位置検出用スイッチとしてリードスイッチを用いたものである。
【発明の効果】
【０００５】
本発明に係る錠装置は、上記のような構成であるので、リモコンで行う手動の施錠・解錠操作と、電動による施錠・解錠操作とをそれぞれ独立して行うことができる著効を有するは勿論であるが、特に本発明は、施錠位置検出用スイッチ、解錠位置検出用スイッチおよび中点位置検出用スイッチを用いて作動位置を特定して施錠作動・解錠作動を制御する形式の自動・手動両用型の錠装置に関し、施錠位置検出用スイッチ、解錠位置検出用スイッチおよび中点位置検出用スイッチとしてリードスイッチを用いたので、施錠・解錠操作のとき以外は内蔵の位置検出スイッチを無電力状態として置ける構成で電池寿命が顕著に長く、無接触で耐久性に優れている完成品を比較的簡単且つ容易に提供できる。
【図面の簡単な説明】
【０００６】
【図１】本発明の実施例を示す要部の斜視図である。
【図２】図１Ａ-Ａ線に沿う断面図である。
【図３】同じく分解斜視図である。
【図４】同じく別の方向から見た分解斜視図である。
【図５】同じく一部省略正面図である。
【図６】同じく側面図である。
【図７】施解指示を受けて第１駆動補助板が施錠方向に回転を始めた状態を示す説明図である。
【図８】施解錠位置検出板兼駆動主板が施錠位置検出用リードスイッチまで回転させられた状態を示す説明図である。
【図９】第１駆動補助板が中点位置検出用リードスイッチをオンにした位置にあるニュートラル状態を示す説明図である。
【図１０】スリップクラッチがスリップしている状態を示す側面図である。
【図１１】スリップクラッチの凹部を示す説明図である。
【発明を実施するための形態】
【０００７】
図に示す実施例は、錠前（図示せず）の施錠状態およびその解錠状態を確保する主軸１と、この主軸１に当該主軸１と一体に動く状態で設けた施解錠位置検出板を兼ねる駆動主板２と、この施解錠位置検出板兼駆動主板２を施錠方向・解錠方向に動かす第１駆動補助板３と、これ等施解錠位置検出板兼駆動主板２、第１駆動補助板３の間に当該第１駆動補助板３の回転力をニュートラル位置から施錠位置間での範囲およびニュートラル位置から解錠位置までの範囲において伝達する構成で設けた伝達装置と、この第１駆動補助板３を動かす第２駆動補助板６と、この第２駆動補助板６をギヤ装置５を介して動かすモータ４と、これ等第１駆動補助板３、第２駆動補助板６の間に設けたモータロック防止のためのスリップクラッチ７を備えているものである。
【０００８】
主軸１は、家屋の中側になる内端側を角軸部１１とし、中間部を丸軸部１２とし、外端をスプライン軸１３としてあり、このスプライン軸１３には錠前のデッドボルト（図示せず）を施錠状態および解錠状態とするアーム（図示せず）の基端を回転不能に取付け、そして、家屋のドアに装備する機器ケース１０に取付けてある。すなわち、機器ケースの壁に手動捻りツマミ１４を軸受部１５を介して支承し、この手動捻りツマミ１４の内端面に軸孔１６を穿設して当該軸孔１６に上記主軸１を止着することによって主軸１を家屋のドアに機器ケースを介して取付ける。
【０００９】
このようにしてドアに取付けた主軸１における角軸部１１の基端個所周囲には、補助リング部材１８を嵌め配して当該補助リング部材１８を上記機器ケースの中に固定されてある絶縁材料製の配線基盤１７に固着すると共にこの補助リング部材１８の内側面に角軸部１１を中心とする扇型を呈する回転角規制用切欠１９を設けてある。
【００１０】
また、施解錠位置検出板兼駆動主板２は、内周が角型孔で外周が丸型の軸承部２１と円盤部２２から構成してあって、軸承部２１の角型孔を上記角軸部１１に嵌着して主軸１と一体に動くようにし且つ同軸承部２１を補助リング部材１８の内径孔に回転自在に嵌着して主軸１をブレないように支持すると共に円盤部２２の一方面に上記回転角規制用切欠１９の両端縁に突当って回転範囲を約９０度に、具体的には上記手動捻りツマミ１４を施錠位置から解錠位置まで動かせる範囲に規制する回転角規制用突起２３を突設し、また同円盤部２２の他方面の周辺に１対の案内突起２４、２５を突設し、更に同円盤部２２の周縁に突出部２６を設けてこれに施解錠位置検出用永久磁石２７を取付けてある。
【００１１】
第１駆動補助板３は、主軸１の丸軸部１２に筒状補助軸２９を遊転自在に被着してこれに回転可能および摺動可能に支承してあり、そしてその外周縁には上記案内突起２４、２５と作動の途中から係合して施解錠位置検出板兼駆動主板２を施錠方向に回転させたり若しくは反対に解錠方向にさせたりする一対の係合突起３０，３１を設け、またこれ等係合突起３０，３１の中の一つに突出部３３を設けてこれに中点位置検出用永久磁石３４を取付けてある。すなわち上記案内突起２４、２５と係合突起３０，３１は、施解錠位置検出板兼駆動主板２と第１駆動補助板３の間で、当該第１駆動補助板３の回転力をニュートラル位置から施錠位置間での範囲およびニュートラル位置から解錠位置までの範囲において伝達機能を果たす伝達装置を形成しているものである。
【００１２】
第２駆動補助板６は、上記第１駆動補助板３に重ねた状態で同じように筒状補助軸２９に回転可能および摺動可能に支承し、これ等第１駆動補助板３、第２駆動補助板６を筒状補助軸２９の一端に一体に設けた鍔部３５と他端に取付けたＥ型止め輪３６により抜け外れ不能とすると共に筒状補助軸２９におけるＥ型止め輪３６と第２駆動補助板６の間の個所に圧縮コイルバネ３７を捲装して第２駆動補助板６と第１駆動補助板３を相互に押付けの状態としてあり、そしてこれ等両方の押付け面における円線上個所に半球状の凸部３８および半球状の凹部３９を可及的多数個まで等間隔の車座配置で設けることで両板３、６間にスリップクラッチ部７を設けてある。
【００１３】
しかし乍ら、このスリップクラッチ部７は、多数回に亘る試作中に、第２駆動補助板６が施錠の方向に回転するときの所謂動き出し状態と解錠の方向に回転するときの動き出し状態とでは、圧縮コイルバネ３７の捲き方向あるいはモータ４の回転中心の位置やギヤ装置５の軸の位置が原因してなのかは確認ができていないが必ず決まった一方が動き出し難いというアンバランスな状態が生じることが判明した。
【００１４】
そこで、本発明は、上記のアンバランスな状態を解消する解決策として図１１で示す断面図および底面図のように、凹部３９の壁面において凸部３８が動き出し難いときに接する面４２を削って容易に外れる形としてある。
【００１５】
この場合、第１駆動補助板３と第２駆動補助板６の重なり側面に半球状の凸部３８および半球状の凹部３９を設けたので、（１）これ等凸部３８、凹部３９の設け位置の半径を大きくして個数を多くすることができ、（２）個数を多くしたことでスリップトルクの負荷を効率よく分散でき、（３）個数を多くしたことで圧縮コイルバネ３７による押付け力を小さくすることができ、（４）Ｅ型止め輪３６と第２駆動補助板６の間のスペースに入る圧縮コイルバネ３７の種類（応力範囲の異なっている）を広くすなわちスリップトルクの調整巾を広くでき、（５）凹部３９の壁面において動き出し難いときに凸部３８の接する面４２の削り取りによって動き出しのアンバランスを解消して動きをスムーズにすることができる。
【００１６】
上記のモータ４およびギヤ装置５は、これ等を配線基盤１７上に装備して第２駆動補助板６の外周縁に刻設したギヤ部４４にモータ４の回転力を伝達するようにしたものであり、モータ４は後述するリモコン（図示せず）から発信する固有の信号およびリードスイッチ４７、４８、４９のオン動作により５個のギヤ５０・・・から成るギヤ装置５およびギヤ部４４を介して第２駆動補助板６を正転または逆転する。
【００１７】
更に、配線基盤１７における補助リング部材１８の周囲に施錠位置検出用リードスイッチ４７、解錠位置検出用リードスイッチ４８および中点位置検出用リードスイッチ４９を配装してある。そして、施錠位置検出用リードスイッチ４７は施解錠位置検出用永久磁石２７の接近でオンとなったときにモータ４を作動してニュートラル状態に戻し、また解錠位置検出用リードスイッチ４８は解錠位置検出用永久磁石２７の接近でオンとなったときにモータ４を上記とは逆の向きに作動してニュートラルの状態に戻し、更に中点位置検出用リーッドスイッチ４９は上記施錠位置検出用リードスイッチ４７のオン動作でニュートラルの位置となったとき、および上記解錠位置検出用リードスイッチ４８のオン動作でニュートラルの位置となったときに中点位置検出用永久磁石３４の接近でオンの状態となってモータ４を停止し、よって上記手動捻りツマミ１４による手動操作の可能な状態を実現する。
【００１８】
この実現は、詳細には説明しないが、上記モータの制御を含む電気回路でなすようにしてあり、そして、この電気回路は暗唱番号等の指定・削除・変更等をなす制御部を有している。これ等はケース１０に組み込んでユニット化し、そしてドアに取付けられて使用される。
【００１９】
上記の実施例の動きを説明する。先ず、施錠された状態において、リモコンで解錠を指令すると、モータ４がギヤ装置５を介して第２駆動補助板６および第１駆動補助板３ならびに主軸１を解錠方向に回転してデッドボルトを解錠状態とすると共にこの解錠方向回転に伴って施解錠位置検出用永久磁石２７も回転移動して解錠位置検出用リードスイッチ４９に接近し、当該解錠位置検出用リードスイッチ４８をオンの状態として解錠状態を感知し、当該感知信号を制御部に送ってモータ４を一瞬停止させたのちに逆の方向に回転して第２駆動補助板６および第１駆動補助板３を逆回転状態とし、この逆回転に伴って中点位置検出用永久磁石３４も逆回転移動して中点位置検出用リードスイッチ４９に接近し、当該中点位置検出用リードスイッチ４９をオンの状態としてニュートラル状態を感知し、当該感知信号を制御部に送ってモータ４を停止させ、よって電動による解錠状態において手動捻りツマミ１４による手動の施錠・解錠操作を自由に行うことのできるニュートラル状態を形成する。
【００２０】
また、解錠された状態において、リモコンで施錠を指令すると、モータ４がギヤ装置５を介して第２駆動補助板６および第１駆動補助板３ならびに主軸１を施錠方向に回転してデッドボルトを施錠状態とすると共にこの施錠方向回転に伴って施解錠位置検出用永久磁石２７も回転移動して施錠位置検出用リードスイッチ４７に接近し、当該施錠位置検出用リードスイッチ４７をオンの状態として施錠状態を感知し、当該感知信号を制御部に送ってモータ４を一瞬停止させたのちに逆の方向に回転して第２駆動補助板６および第１駆動補助板３を逆回転状態とし、この逆回転に伴って中点位置検出用永久磁石３４も逆回転移動して中点位置検出用リードスイッチ４９に接近し、当該中点位置検出用リードスイッチ４９をオンの状態としてニュートラル状態を感知し、当該感知信号を制御部に送ってモータ４を停止させ、よって電動による施錠状態において手動捻りツマミ１４による手動の施錠・解錠操作を自由に行うことのできるニュートラル状態を形成する。
【００２１】
上記したように電動によって施錠状態となったときでも解錠状態となっているときでも手動による施錠・解錠が任意に行うことが可能なニュートラル状態を呈するものであり、この手動による施錠・解錠の場合には、主軸１および駆動主板２側のみが回転して当該回転が第１駆動補助板３及び第２駆動補助板６には伝わらずフリーの状態となっているものであり、また、手動によって施錠状態となっているときでも解錠状態となっているときでも電動による施錠・解錠が任意に行うことが可能なニュートラル状態を呈するものであり、この電動による施錠・解錠の場合には、主軸１および駆動主板２側のみが回転して当該回転が第１駆動補助板３及び第２駆動補助板６には伝わらずフリーの状態となっているものである。
【００２２】
更に、不測にして、電動による施錠操作または解錠操作の途中でたとえばドアが所謂半開きの状態等によるデッドボルトとストライクとの位置不一致やデッドボルト、ストライクの変形等の原因で上記の施錠操作または解錠操作がスムーズに行われないというような異常事態が生じた場合には、スリップクラッチ部７が機能して当該異常事態を回避する。
【符号の説明】
【００２３】
１ 主軸
２ 施解錠位置検出板兼駆動主板
３ 第１駆動補助板
４ モータ
５ ギヤ装置
６ 第２駆動補助板
７ スリップクラッチ
１０ 機器ケース
１１ 角軸部
１２ 丸軸部
１３ スプライン軸
１４ 手動捻りツマミ
１５ 軸受部
１６ 角型軸孔
１７ 配線基盤
１８ 補助リング部材
１９ 回転角規制用切欠
２１ 軸承部
２２ 円盤部
２３ 回転角規制用突起
２４ 案内突起
２５ 案内突起
２６ 突出部
２７ 施解錠位置検出用永久磁石
２９ 筒状補助軸
３０ 係合突起
３１ 係合突起
３３ 突出部
３４ 中点位置検出用永久磁石
３５ 鍔部
３６ Ｅ型止め輪
３７ 圧縮コイルバネ
３８ 凸部
３９ 凹部
４２ 接する面
４４ ギヤ部
４５ 裏蓋
４７ 施錠位置検出用リードスイッチ
４８ 解錠位置検出用リードスイッチ
４９ 中点位置検出用リードスイッチ
５０ ギヤ
【図１】
0004895058.tif 000002
【図２】
0004895058.tif 000003
【図３】
0004895058.tif 000004
【図４】
0004895058.tif 000005
【図５】
0004895058.tif 000006
【図６】
0004895058.tif 000007
【図７】
0004895058.tif 000008
【図８】
0004895058.tif 000009
【図９】
0004895058.tif 000010
【図１０】
0004895058.tif 000011
【図１１】
0004895058.tif 000012